(57)【特許請求の範囲】
【請求項１】
複数の異径パイプからなる既存のケーシングが段落し部を介して接続され、最下部の既存のケーシングに温泉水の吸込口が設けられ、地上部からケーシング内に揚湯管が挿入され、この揚湯管の下端部に揚湯ポンプが設けられた既存温泉井戸を再生する既存温泉井戸の再生装置であって、
既存のケーシング間の段落し部と対応する段落し接続部が形成されかつ下端が開口されて既存のケーシング内に挿入される地下水浸入防止ケーシングと、
既存のケーシングまたは段落し部から浸入した地下水が既存のケーシングと地下水浸入防止ケーシングとの間の隙間を経て地下水浸入防止ケーシングの下端の開口部に連通する通路を遮断する止水部材と
を具備したことを特徴とする既存温泉井戸の再生装置。
【請求項２】
地下水浸入防止ケーシングは、ファイバグラス製である
ことを特徴とする請求項１記載の既存温泉井戸の再生装置。
【請求項３】
複数の異径パイプからなる既存のケーシングが段落し部を介して接続され、最下部の既存のケーシングに温泉水の吸込口が設けられ、地上部からケーシング内に揚湯管が挿入され、この揚湯管の下端部に揚湯ポンプが設けられた既存温泉井戸を再生する既存温泉井戸の再生方法であって、
既存のケーシング内から揚湯管および揚湯ポンプを取り出し、
既存のケーシング内に、既存のケーシング間の段落し部と対応する段落し接続部が形成されかつ下端が開口された地下水浸入防止ケーシングを挿入し、
既存のケーシングまたは段落し部から浸入した地下水が既存のケーシングと地下水浸入防止ケーシングとの間の隙間を経て地下水浸入防止ケーシングの下端の開口部に連通する通路を止水部材により遮断し、
地下水浸入防止ケーシング内に揚湯管および揚湯ポンプを挿入した
ことを特徴とする既存温泉井戸の再生方法。
【発明の詳細な説明】
【技術分野】
【０００１】
本発明は、既存のケーシングや段落し部の老朽化に対応する既存温泉井戸の再生装置およびその再生方法に関する。
【背景技術】
【０００２】
図４に示されるように、既存温泉井戸は、複数の異径パイプからなる既存のケーシング11，12，13が段落し部14，15を介して順次接続され、最下部のケーシング13に温泉水Ａの吸込口16が設けられ、また、地上部からケーシング11内に揚湯管17が挿入され、この揚湯管17の下端部に揚湯ポンプ18が設けられている。
【０００３】
老朽化によりケーシング11，12や段落し部14，15より地下水Ｂがケーシング11，12内に浸入する場合がある。すると、地下水Ｂが温泉水Ａに混入することにより、温泉温度が下がる問題が生じる。この場合、温泉井戸の掘り直し工事が必要となる。
【０００４】
また、深井戸用ケーシングの補修方法として、膨脹ゴムエレメントの外周面に装着された漏水防止材を井戸内のケーシングリーク位置に降下させ、膨脹ゴムエレメントを膨張させて漏水防止材をケーシングリーク位置に貼り付けた後、膨脹ゴムエレメントを収縮させて引き揚げるケーシングパッチ工法が知られている（例えば、特許文献１参照）。
【先行技術文献】
【特許文献】
【０００５】
【特許文献１】特開２００１−２０６５３号公報（第５−６頁、図４）
【発明の概要】
【発明が解決しようとする課題】
【０００６】
上記温泉井戸の掘り直し工事は、工事費がかさむとともに、工事期間が長くかかる問題がある。また、ケーシングパッチ工法は、段落し部14，15の老朽化による地下水Ｂの浸入に対応できない問題がある。
【０００７】
本発明は、このような点に鑑みなされたもので、老朽化により既存のケーシングや段落し部より地下水が既存のケーシング内に浸入するような場合でも、上記地下水の浸入による温泉水の温度低下に容易に対応できる既存温泉井戸の再生装置およびその再生方法を提供することを目的とする。
【課題を解決するための手段】
【０００８】
請求項１に記載された発明は、複数の異径パイプからなる既存のケーシングが段落し部を介して接続され、最下部の既存のケーシングに温泉水の吸込口が設けられ、地上部からケーシング内に揚湯管が挿入され、この揚湯管の下端部に揚湯ポンプが設けられた既存温泉井戸を再生する既存温泉井戸の再生装置であって、既存のケーシング間の段落し部と対応する段落し接続部が形成されかつ下端が開口されて既存のケーシング内に挿入される地下水浸入防止ケーシングと、既存のケーシングまたは段落し部から浸入した地下水が既存のケーシングと地下水浸入防止ケーシングとの間の隙間を経て地下水浸入防止ケーシングの下端の開口部に連通する通路を遮断する止水部材とを具備した既存温泉井戸の再生装置である。
【０００９】
請求項２に記載された発明は、請求項１記載の既存温泉井戸の再生装置における地下水浸入防止ケーシングを、ファイバグラス製としたものである。
【００１０】
請求項３に記載された発明は、複数の異径パイプからなる既存のケーシングが段落し部を介して接続され、最下部の既存のケーシングに温泉水の吸込口が設けられ、地上部からケーシング内に揚湯管が挿入され、この揚湯管の下端部に揚湯ポンプが設けられた既存温泉井戸を再生する既存温泉井戸の再生方法であって、既存のケーシング内から揚湯管および揚湯ポンプを取り出し、既存のケーシング内に、既存のケーシング間の段落し部と対応する段落し接続部が形成されかつ下端が開口された地下水浸入防止ケーシングを挿入し、既存のケーシングまたは段落し部から浸入した地下水が既存のケーシングと地下水浸入防止ケーシングとの間の隙間を経て地下水浸入防止ケーシングの下端の開口部に連通する通路を止水部材により遮断し、地下水浸入防止ケーシング内に揚湯管および揚湯ポンプを挿入した既存温泉井戸の再生方法である。
【発明の効果】
【００１１】
請求項１記載の発明によれば、既存のケーシング間の段落し部と対応する段落し接続部が形成されかつ下端が開口されて既存のケーシング内に挿入される地下水浸入防止ケーシングと、既存のケーシングまたは段落し部から浸入した地下水が既存のケーシングと地下水浸入防止ケーシングとの間の隙間を経て地下水浸入防止ケーシングの下端の開口部に連通する通路を遮断する止水部材とによって、老朽化により既存のケーシングや段落し部より地下水が既存のケーシング内に浸入するような場合でも地下水浸入防止ケーシング内に浸入することを防止できるので、従来の掘り直し工事よりも安価で短期間に施工することができ、上記地下水の浸入による温泉水の温度低下に容易に対応できる既存温泉井戸の再生装置を提供できる。
【００１２】
請求項２記載の発明によれば、ファイバグラス製の地下水浸入防止ケーシングは、単に強度、耐蝕性、耐圧性能に優れているだけでなく、保温性に優れているため、温泉水の温度低下を抑制する効果が得られるとともに、温泉水中のスケールが付着しにくいため、目詰まり防止効果がある。
【００１３】
請求項３載の発明によれば、既存のケーシング内に、既存のケーシング間の段落し部と対応する段落し接続部が形成されかつ下端が開口された地下水浸入防止ケーシングを挿入し、既存のケーシングまたは段落し部から浸入した地下水が既存のケーシングと地下水浸入防止ケーシングとの間の隙間を経て地下水浸入防止ケーシングの下端の開口部に連通する通路を止水部材により遮断し、地下水浸入防止ケーシング内に揚湯管および揚湯ポンプを挿入したことによって、老朽化により既存のケーシングや段落し部より地下水が既存のケーシング内に浸入するような場合でも地下水浸入防止ケーシング内に浸入することを防止できるので、従来の掘り直し工事よりも安価で短期間に施工することができ、上記地下水の浸入による温泉水の温度低下に容易に対応できる既存温泉井戸の再生方法を提供できる。
【図面の簡単な説明】
【００１４】
【図１】本発明に係る既存温泉井戸の再生装置の一実施の形態を示す断面図である。
【図２】同上再生装置の地下水浸入防止ケーシングを示す断面図である。
【図３】同上再生装置の中間止水パッカー取付構造を示す断面図である。
【図４】既存温泉井戸を示す断面図である。
【発明を実施するための形態】
【００１５】
以下、本発明を、図１乃至図３に示された一実施の形態に基いて詳細に説明する。なお、図４に示される従来例と同様の部分には同一符号を付する。
【００１６】
図１は、複数の異径パイプからなる既存のケーシング11，12，13が段落し部14，15を介して接続され、最下部の既存のケーシング13に温泉水Ａの吸込口16が設けられた既存温泉井戸を再生する既存温泉井戸の再生装置を示す。なお、地上部から従来と同様の深さ位置まで揚湯管17が挿入され、この揚湯管17の下端部に揚湯ポンプ18が設けられている。
【００１７】
地上部では、揚湯管17に空気抜き弁21および圧力計22が設けられ、逆止弁23および開閉弁24などを介して温泉配管25が接続されている。揚湯ポンプ18には制御盤26が接続され、この制御盤26は、一般的に２つの電極棒（MA電極）により検知した水位の検知信号を受けて、揚湯ポンプ18の停止と運転復帰とを自動制御する機能を有する。
【００１８】
既存のケーシング11に対して既存のケーシング12の上端部に形成された段落し部14が伸縮自在に嵌合され、ケーシング11の下端部に設けられた係止部27により係止されている。同様に、既存のケーシング12に対して既存のケーシング13の上端部に形成された段落し部15が伸縮自在に嵌合され、ケーシング12の下端部に設けられた係止部28により係止されている。
【００１９】
本再生装置は、既存のケーシング11，12，13内にファイバグラス製の地下水浸入防止ケーシング31が挿入され、地上部からこの地下水浸入防止ケーシング31内に揚湯管17が挿入され、この揚湯管17の下端部に揚湯ポンプ18が設けられている。
【００２０】
地下水浸入防止ケーシング31は、既存のケーシング11，12，13間の段落し部14，15と対応する段落し接続部32，33が形成され、かつ下端に開口部31aが設けられている。
【００２１】
さらに、ケーシング12の上端に位置する段落し部14と地下水浸入防止ケーシング31の上段側に位置する段落し接続部32との間に止水部材としての上部段落し部止水パッカー34が介在され、また、ケーシング13の上端に位置する段落し部15と地下水浸入防止ケーシング31の下段側に位置する段落し接続部33との間に止水部材としての下部段落し部止水パッカー35が介在されている。
【００２２】
これらの上部段落し部止水パッカー34および下部段落し部止水パッカー35は、既存のケーシング11，12または段落し部14，15から浸入した地下水Ｂが既存のケーシング11，12，13と地下水浸入防止ケーシング31との間の隙間を経て地下水浸入防止ケーシング31の下端の開口部31aに連通する通路を遮断するものである。
【００２３】
図２に示されるように、地下水浸入防止ケーシング31は、ファイバグラス製の最大径パイプ部36の下端部に、上部大径口部および下部小径口部を有する一般的にベルカラーと呼称される上部縮小接続具37の上部大径口部が螺合され、この上部縮小接続具37の下部小径口部にファイバグラス製の中段径パイプ部38の上端部が螺合され、この中段径パイプ部38の下端部に、上部大径口部および下部小径口部を有する下部縮小接続具39の上部大径口部が螺合され、この下部縮小接続具39の下部小径口部にファイバグラス製の最小径パイプ部40の上端部が螺合されて、最大径パイプ部36、中段径パイプ部38および最小径パイプ部40が連続的に設けられている。この地下水浸入防止ケーシング31の最小径パイプ部40は、図１に示されるように下部段落し部止水パッカー35および最下部の既存のケーシング13に挿入されている。
【００２４】
図２に示されるように、地下水浸入防止ケーシング31の上部縮小接続具37の下半部に形成された円筒部41には、シールゴム42が嵌着され、ストッパ43により係止されているとともに、下部縮小接続具39の下半部に形成された円筒部44には、シールゴム45が嵌着され、ストッパ46により係止されている。この上部縮小接続具37に嵌着されたシールゴム42などにより図１に示された上部段落し部止水パッカー34が形成され、下部縮小接続具39に嵌着されたシールゴム45などにより図１に示された下部段落し部止水パッカー35が形成されている。
【００２５】
また、図１に示されるように、最上部の既存のケーシング11と地下水浸入防止ケーシング31の最大径パイプ部36との間に止水部材としての上部中間止水パッカー47が設けられている。同様に、中段部の既存のケーシング12と地下水浸入防止ケーシング31の中段径パイプ部38との間に止水部材としての下部中間止水パッカー48が設けられている。
【００２６】
これらの上部中間止水パッカー47および下部中間止水パッカー48は、既存のケーシング11，12または段落し部14から浸入した地下水Ｂが既存のケーシング11，12，13と地下水浸入防止ケーシング31との間の隙間を経て地下水浸入防止ケーシング31の下端の開口部31aに連通する通路を遮断するものであり、これらの上部中間止水パッカー47および下部中間止水パッカー48は、必要に応じて適宜設置すると良い。
【００２７】
図３は、地下水浸入防止ケーシング31に対する上部中間止水パッカー47または下部中間止水パッカー48の取付構造の詳細を示し、例えば縮小接続部51（段落し接続部32または33）が螺合されたベースパイプ52に、パッカーラバー53（上部中間止水パッカー47または下部中間止水パッカー48）とともに、くさび形断面のウェッジ54が嵌合され、ベースパイプ52に螺合されたロックナット55によりウェッジ54の上方移動が規制されるとともに、このウェッジ54にはジョイントパイプ56が螺合されているので、このジョイントパイプ56とともにウェッジ54を下降させることで、このウェッジ54がパッカーラバー53の内周面側に挿入されて、このパッカーラバー53を外周側へ膨出させ、既存のケーシング11または12の内周面に密着させることができる。
【００２８】
次に、図４に示された既存温泉井戸を図１に示された再生装置により再生する再生方法を説明する。
【００２９】
図４に示された既存のケーシング11内から揚湯管17および揚湯ポンプ18を取り出して、事前にケーシング状態をカメラ等で検査して、地下水Ｂが既存のケーシング11，12または段落し部14，15から内部へ浸入する漏水部位置を確認する。
【００３０】
さらに、図１に示されるように、既存のケーシング11，12，13内に、既存のケーシング11，12，13間の段落し部14，15と対応する段落し接続部32，33が形成されかつ下端が開口された地下水浸入防止ケーシング31を、上記漏水部位置に応じてセットされた上部段落し部止水パッカー34、下部段落し部止水パッカー35、上部中間止水パッカー47および下部中間止水パッカー48とともに挿入し、既存のケーシング11および地下水浸入防止ケーシング31の上端部を固定する。
【００３１】
これにより、既存のケーシング11，12または段落し部14，15から浸入した地下水Ｂが、既存のケーシング11，12，13と地下水浸入防止ケーシング31との間の隙間を経て地下水浸入防止ケーシング31の下端の開口部31aに連通する通路を、上部段落し部止水パッカー34および下部段落し部止水パッカー35により、さらに状況に応じて設置された上部中間止水パッカー47、下部中間止水パッカー48により遮断する。
【００３２】
最後に、地下水浸入防止ケーシング31内に揚湯管17および揚湯ポンプ18を挿入し、地上部での配管および配線をする。揚湯管17および揚湯ポンプ18は、劣化の程度により、既存のケーシング11内から取り出したものを再利用してもよいし、新規のものを用いてもよい。
【００３３】
次に、図１に示された実施の形態の作用効果を説明する。
【００３４】
温泉水中に浸漬された揚湯ポンプ18を駆動すると、吸込口16から最下部の既存のケーシング13に吸込まれた温泉水Ａは、地下水浸入防止ケーシング31の開口部31aを経て、地下水浸入防止ケーシング31内に吸い込まれ、さらに揚湯ポンプ18から揚湯管17に吐出され、逆止弁23および開閉弁24などを経て温泉配管25に供給される。
【００３５】
このとき、老朽化した既存のケーシング11，12，13と地下水浸入防止ケーシング31との間の隙間を通って地下水Ｂが地下水浸入防止ケーシング31の開口部31aに吸込まれるおそれは、上部段落し部止水パッカー34および下部段落し部止水パッカー35により、さらに状況に応じて設置された上部中間止水パッカー47、下部中間止水パッカー48により防止される。
【００３６】
特に、最下部に位置する下部段落し部止水パッカー35は、既存のケーシング11，12および段落し部14，15から浸入した地下水が開口部31aに連通する経路を確実に遮断する。
【００３７】
このように、既存のケーシング11，12，13内に、既存のケーシング11，12，13間の段落し部14，15と対応する段落し接続部32，33が形成されかつ下端が開口された地下水浸入防止ケーシング31を挿入し、既存のケーシング11，12または段落し部14，15から浸入した地下水Ｂが既存のケーシング11，12，13と地下水浸入防止ケーシング31との間の隙間を経て地下水浸入防止ケーシング31の下端の開口部31aに連通する通路を、上部段落し部止水パッカー34、下部段落し部止水パッカー35、上部中間止水パッカー47、下部中間止水パッカー48により遮断し、地下水浸入防止ケーシング31内に揚湯管17および揚湯ポンプ18を挿入することによって、老朽化により既存のケーシング11，12や段落し部14，15より地下水Ｂが既存のケーシング11，12内に浸入するような場合でも地下水浸入防止ケーシング31内に浸入することを防止できるので、従来の掘り直し工事よりも安価で短期間に施工することができ、上記地下水Ｂの浸入による温泉水Ａの温度低下に容易に対応できる既存温泉井戸の再生装置と再生方法とを提供できる。
【００３８】
その際、ファイバグラス製の地下水浸入防止ケーシング31は、単に強度、耐蝕性、耐圧性能に優れているだけでなく、保温性に優れているため、温泉水Ａの温度低下を抑制する効果が得られるとともに、温泉水Ａ中のスケールが付着しにくいため、目詰まり防止効果がある。
【産業上の利用可能性】
【００３９】
本発明は、既存温泉井戸の再生装置の製造業、販売業およびその再生方法を用いる施工業において利用可能である。
【符号の説明】
【００４０】
Ａ    温泉水
Ｂ    地下水
11，12，13    既存のケーシング
14，15    段落し部
16    温泉水の吸込口
17    揚湯管
18    揚湯ポンプ
31    地下水浸入防止ケーシング
32，33    段落し接続部
31a    開口部
34    止水部材としての上部段落し部止水パッカー
35    止水部材としての下部段落し部止水パッカー
47    止水部材としての上部中間止水パッカー
48    止水部材としての下部中間止水パッカー
【図１】
0005390471.tif 000002
【図２】
0005390471.tif 000003
【図３】
0005390471.tif 000004
【図４】
0005390471.tif 000005